(57)【特許請求の範囲】
【請求項１】
ランプを保持するとともに前記ランプからの光を反射するランプホルダ、前記ランプへ駆動電圧を供給するための外部接続用のコネクタ、及び前記ランプホルダと前記コネクタとの間を結ぶランプケーブルを有するランプユニットが装着される液晶モジュールであって、
液晶パネル、前記液晶パネルを照射する光源ユニット、及び前記液晶パネル及び前記光源ユニットを重ね合わせた状態で挟持し、フロントシャーシ及びバックシャーシで構成されるフレーム部を備え、
前記フレーム部は、その両側面に一対の挿入口と、その中の前記ランプユニットを受け入れる空間とを備えており、前記一対の挿入口は前記空間を通して繋がっており、前記ランプユニットの前記ランプホルダが前記挿入口の一つから挿入されたときに、前記フレーム部の前記空間内で前記ランプホルダを保持する固定手段が、前記一対の挿入口の近傍にそれぞれ形成されていることを特徴とする液晶モジュール。
【請求項２】
前記光源ユニットは、前記ランプユニットの前記ランプからの光を受けて、前記液晶パネルを照射するバックライトユニット或いはフロントライトユニットであることを特徴とする請求項１記載の液晶モジュール。
【請求項３】
前記光源ユニットは、前記ランプユニットの前記ランプからの光を受けて、前記液晶パネルを照射する導光板を備えることを特徴とする請求項１記載の液晶モジュール。
【請求項４】
前記導光板の一辺は、前記フレーム部の前記一対の挿入口で囲まれる前記空間に臨むように配置されており、前記ランプユニットの前記ランプホルダは、前記導光板の一辺にガイドされながら前記挿入口から前記フレーム部の前記空間内に挿入されることを特徴とする請求項３記載の液晶モジュール。
【請求項５】
前記固定手段は、前記一対の挿入口の付近にそれぞれ設けられた板バネ状のロック部であることを特徴とする請求項１乃至４のいずれか一項に記載の液晶モジュール。
【請求項６】
前記固定手段は、一方が前記挿入口の付近の前記フレーム部に設けられ、他方が前記ランプユニットの前記ランプホルダに設けられ、前記ランプユニットの前記ランプホルダが前記挿入口から前記フレーム部の前記空間内に挿入された状態でお互いに嵌合する一対の凹部及び凸部であることを特徴とする請求項１乃至４のいずれか一項に記載の液晶モジュール。
【請求項７】
前記一対の挿入口が、前記導光板の長手方向に沿って配置されていることを特徴とする請求項３又は請求項４に記載の液晶モジュール。
【請求項８】
前記一対の挿入口が、前記導光板の短手方向に沿って配置されていることを特徴とする請求項３又は請求項４に記載の液晶モジュール。
【請求項９】
前記一対の挿入口が、前記導光板の両側に複数配置されていることを特徴とする請求項３、請求項４、請求項７又は請求項８に記載の液晶モジュール。
【発明の詳細な説明】
【技術分野】
【０００１】
本発明は、液晶モジュールに関し、特にランプユニットが挿入され装着される液晶モジュールに関する。
【背景技術】
【０００２】
薄型で消費電力の小さい表示デバイスとして、液晶表示デバイスが、ディスプレイモニタ、パーソナルコンピュータの表示部、携帯電話やＰＤＡなどの携帯機器の表示部など広く用いられている。一般的に、液晶表示デバイスは液晶表示パネルやバックライトユニットなどが一体化されたモジュール形態で提供されており、セットメーカはこれをセット商品に組み込んで利用している。
【０００３】
このような液晶モジュールの構造について簡単に説明する。液晶モジュールは、図７に示すように、フロントシャーシ１０１とバックシャーシ１０３との間に樹脂製のフレーム１０２などを挟持して構成される。図示していないが、フロントシャーシ１０１とバックシャーシ１０３の間には、液晶パネルや導光板など液晶表示デバイスに必要なその他の構成部材も重ねられて挟持される。このような液晶モジュールのバックライト光源として、ランプユニットが用意されている。このランプユニットは、図７や図８に示されるように、蛍光ランプ１０６と、これを保持し蛍光ランプ１０６からの出射光を反射する反射板の機能を有するランプホルダ１０４と、蛍光ランプ１０６の電極に接続されたランプケーブル１０５などから構成されている。
【０００４】
液晶モジュールのフレーム１０２の一側面には開口部が設けられており、ランプユニットのランプホルダ１０４をこの開口部から液晶モジュール内に差し込めるように構成されている。このように、ランプホルダ１０４を差し込むことにより、フレームで囲まれた空間に配置される導光板と、ランプユニットの蛍光ランプ１０６とが位置合わせされる。蛍光ランプ１０６を点灯させることにより、ランプからの光を導光板へ入射させて、導光板から液晶パネルへのバックライト光を供給することができる。また、ランプユニットを液晶モジュールに対して着脱可能に取り付ける構造とすることにより、ランプユニットの蛍光ランプの寿命が尽きた場合や蛍光ランプに不具合が生じた場合に、ユニット単位で簡単に交換することができる。
【０００５】
【特許文献１】特開２００３−１９５３０１号公報（図１、図４）
【発明の開示】
【発明が解決しようとする課題】
【０００６】
ところで、このような液晶モジュールをノート型パーソナルコンピュータや液晶ディスプレイモニタなどのセット商品に組み込む場面を考えてみる。ランプユニットの蛍光ランプは、ランプケーブルに設けられたランプユニットのコネクタを、セット商品側の接続端子に接続することにより駆動電圧をセット商品側から供給されて、点灯される。
【０００７】
駆動電圧を供給するセット商品側の接続端子は、セット商品側の設計の都合上、液晶モジュールのランプケーブルの取り出し口に近い側でなく遠い側に配置される場合がある。このような場合に、ランプユニットのコネクタをセット商品側の接続端子に接続するためには、ランプユニットのランプケーブル（またはインバータケーブル）をセット商品側の接続端子に届く程度の長さまで延長し、このようにしてセット商品側の接続端子に接続することが必要になる。このようなランプケーブルやインバータケーブルの延長を行いたくない場合、ランプユニットのコネクタとセット商品側の接続端子とを接続するためには、液晶モジュール自体を１８０度回転させて配置し、セット商品側の接続端子に接続することが考えられる。
【０００８】
しかしながら、このようなランプケーブルの延長や、液晶モジュールの回転配置を行うと、電気的特性や表示特性などの液晶モジュールの特性が変わってしまう可能性がある。例えば、ランプケーブルの延長を行うと、ランプケーブルからのリーク電流が増大し、ランプの輝度低下を招く可能性がある。また、液晶モジュールの回転配置を行うと、視野角特性や階調特性、色味、面内輝度分布などの表示特性が変化してしまい、設計当初の期待どおりの表示特性が得られなくなる可能性がある。
【０００９】
このため、現実には、組み込まれるセット商品側の接続端子の配置を考慮して、ランプケーブルやインバータケーブルとの取り出し口を配置した液晶モジュールの構造設計を、新規に行っていた。このような新たな構造設計を行うため、開発費用やスケジュールに大きな影響を及ぼしていた。また、このような新規の構造設計を行わないでセット商品に組み込んだ場合には、電気的特性や表示特性などの液晶モジュールの特性が変わってしまう可能性がある。
【００１０】
したがって、本発明の目的は、新たな構造設計が不要で、セット商品へ対応できる自由度の大きい液晶モジュールを提供することにある。
【課題を解決するための手段】
【００１１】
上述した目的を達成するために、本発明による液晶モジュールは、次の新規な特徴を備える。
【００１２】
本発明の液晶モジュールは、ランプを保持するとともに上記ランプからの光を反射するランプホルダ、上記ランプへ駆動電圧を供給するための外部接続用のコネクタ、及び上記ランプホルダと上記コネクタとの間を結ぶランプケーブルを有するランプユニットが装着される液晶モジュールであって、
液晶パネル、上記液晶パネルを照射する光源ユニット、及び上記液晶パネル及び上記光源ユニットを重ね合わせた状態で挟持し、フロントシャーシ及びバックシャーシで構成されるフレーム部を備え、
上記フレーム部は、その両側面に一対の挿入口を備えており、上記ランプユニットの上記ランプホルダが上記挿入口の一つから挿入されたときに、上記フレーム部内で上記ランプホルダを保持する固定手段が、上記一対の挿入口の近傍にそれぞれ形成されていることを特徴とする。
【００１３】
好ましくは、上記光源ユニットは、上記ランプユニットの上記ランプからの光を受け、上記液晶パネルを照射するバックライトユニット或いはフロントライトユニットであることを特徴とする。
【００１４】
好ましくは、上記光源ユニットは、上記ランプユニットの上記ランプからの光を受け、上記液晶パネルを照射する導光板を備えることを特徴とする。
【００１５】
好ましくは、上記導光板の一辺は、上記フレーム部の上記一対の挿入口で囲まれる空間に臨むように配置されており、上記ランプユニットのランプホルダは、上記導光板の一辺にガイドされながら上記挿入口から上記フレーム部内に挿入されることを特徴とする。
【００１６】
好ましくは、上記固定手段が、上記一対の挿入口の付近にそれぞれ設けられた板バネ状のロック部であることを特徴とする。
【００１７】
好ましくは、上記固定手段が、一方が上記挿入口の付近の上記フレーム部に設けられ、他方が上記ランプユニットの上記ランプホルダに設けられ、上記ランプユニットの上記ランプホルダが上記挿入口から上記フレーム部内に挿入された状態でお互いに嵌合する一対の凹部及び凸部であることを特徴とする。
【００１８】
好ましくは、上記一対の挿入口が、上記導光板の長手方向に沿って配置されていることを特徴とする。
【００１９】
好ましくは、上記一対の挿入口が、上記導光板の短手方向に沿って配置されていることを特徴とする。
【００２０】
好ましくは、上記一対の挿入口が、上記導光板の両側に複数配置されていることを特徴とする。
（効果をもたらす手段の働き）
フレーム部の両側面に備えられた一対の挿入口が、ランプユニットのランプホルダのフレーム部内への挿入をいずれの挿入口からでも可能にする。さらに、ランプユニットのランプホルダを、フロントシャーシ及びバックシャーシで構成されるフレーム部内に挿入したときに、固定手段がランプユニットのランプホルダをフレーム部内に保持させる。
【発明の効果】
【００２１】
本発明によれば、組み込み先のセット商品側の接続端子の配置に対応させて、ランプユニットのランプホルダをフレーム部の両側面に備えられた一対の挿入口のうち、いずれからでもフレーム部内に挿入することができ、ランプユニットを装着することができる。したがって、ランプケーブルなどを延長してセット商品側の接続端子に接続することなく、またランプケーブルを延長せずに液晶モジュール自体を１８０度回転させ配置してセット商品側の接続端子に接続することなく、ランプユニットのコネクタをセット商品側の接続端子に接続して、ランプユニットのランプに対し駆動電圧を供給することができる。その結果、セット商品側の接続端子の配置に対応させた新たな構造設計が極力不要となり、セット商品へ対応できる自由度の大きい液晶モジュールを実現できる。
【発明を実施するための最良の形態】
【００２２】
次に、本発明の実施の形態について、図面を参照して詳細に説明する。
図１（Ａ）は本発明の第一の実施形態の液晶モジュールの左側面図であり、図１（Ｂ）はこの第一の実施形態の液晶モジュールの正面図であり、図１（Ｃ）はこの第一の実施形態の液晶モジュールの右側面図である。図２は、第一の実施形態の液晶モジュールの分解斜視図である。図３（Ａ）は第一の実施形態の液晶モジュールへのランプユニットの装着を説明するための斜視図であり、図３（Ｂ）はこの液晶モジュールの挿入口２３ａ付近の部分拡大平面図である。図４（Ａ）及び図４（Ｂ）は第一の実施形態の液晶モジュールへのランプユニットの装着を説明するための斜視図であり、図４（Ｃ）はランプユニットのランプホルダ２と導光板１６との位置合わせを説明するための、図４（Ａ）のＸ−Ｘ線に沿った要部断面図である。図５（Ａ）は第一の実施形態の液晶モジュールへのランプユニットの装着の他の態様を説明するための斜視図であり、図５（Ｂ）はこの液晶モジュールの挿入口２３ｂ付近の部分拡大平面図である。
【００２３】
本実施形態の液晶モジュール１０は、ランプの一例としての、冷陰極蛍光ランプ３を保持するとともにこのランプ３からの光を反射するランプホルダ２、上記ランプ３へ駆動電圧を供給するための外部接続用のコネクタ４、及び上記ランプホルダ２と上記コネクタ４との間を結ぶランプケーブル５を有するランプユニット１が装着される液晶モジュール１０であって、液晶パネル１２、上記液晶パネル１２を照射する光源ユニット、及び上記液晶パネル１２及び上記光源ユニットを重ね合わせた状態で挟持し、フロントシャーシ１３及びバックシャーシ１８で構成されるフレーム部を備えている。
【００２４】
さらに、本実施形態の液晶モジュール１０では、フレーム部の両側面に一対の挿入口２３ａ、２３ｂを備えており、上記ランプユニット１の上記ランプホルダ２が上記挿入口２３ａ或いは挿入口２３ｂから挿入されたときに、上記フレーム部内で上記ランプホルダ２を保持する固定手段が、一対の挿入口２３ａ、２３ｂの近傍にそれぞれ形成されている。
【００２５】
本実施形態では、上記光源ユニットは、上記ランプユニット１の上記冷陰極蛍光ランプ３からの光を受け、上記液晶パネル１２を照射するバックライトユニットであり、光源ユニットは上記ランプユニット１の上記冷陰極蛍光ランプ３からの光を受け、上記液晶パネル１２を照射する導光板１６を備えている。
【００２６】
より詳細に説明すると、本実施形態の液晶モジュール１０は、導光板１６を挟持した状態で固定されるフロントシャーシ１３及びバックシャーシ１８と、導光板１６とバックシャーシ１８との間に配置された反射シート１７と、導光板１６とフロントシャーシ１３との間に配置され導光板１６が出射するバックライト光を適度に散乱させる拡散シート１５と、フロントシャーシ１３と拡散シート１５との間に配置され拡散シート１５が出射する光を適度に集光して出射させる集光シート１４と、フロントシャーシ１３上に配置された透過型又は半透過型の液晶パネル１２と、液晶パネル１２を覆うフロントシールド１１とを備えている。
【００２７】
すなわち、フロントシャーシ１３とバックシャーシ１８とは、その間に、お互いに重ねられた集光シート１４、拡散シート１５、導光板１６及び反射シート１７を挟持した状態で固定され、これらを保持する。液晶パネル１２と複数の垂直ドライバＩＣ２１及び複数の水平ドライバＩＣ２２との間、複数の垂直ドライバＩＣ２１及び複数の水平ドライバＩＣ２２と信号処理基板１９との間は、それぞれ電気的に接続されお互いに連結された構造体を構成している。一般的に、垂直ドライバＩＣ２１や水平ドライバＩＣ２２は、テープキャリアパッケージ（ＴＣＰ）形態でキャリアテープ上に実装されており、フレキシブルプリント基板（ＦＰＢ）を介して接続されている。液晶パネル１２、ドライバＩＣ２１及び２２、信号処理基板１９を連結して構成された構造体は、これらキャリアテープやフレキシブルプリント基板などの可撓性部材の部分で折り曲げられ、液晶パネル１２はフロントシャーシ１３の前面側に、信号処理基板１９はバックシャーシ１８の背面側に、それぞれ配置され重ね合わせられている。さらに、フロントシャーシ１３の前面側には、フロントシールド１１が取り付けられている。さらに、バックシャーシ１８の背面側には、バックシールド２０が取り付けられている。
【００２８】
本実施の形態では、フロントシャーシ１３及びバックシャーシ１８で構成されるフレーム部に、ランプユニット１のランプホルダ２を抜き差しするための一対の挿入口２３ａ、２３ｂが形成されている。図１（Ｃ）に示されるように、フレーム部の右側には挿入口２３ａが設けられており、図１（Ａ）に示されるように、フレーム部の左側には挿入口２３ｂが設けられている。すなわち、挿入口２３ａ、２３ｂがフレーム部の左右両側にそれぞれ設けられている。挿入口２３ａ、２３ｂの入口付近のバックシャーシ１８には、板バネ状で略Ｌ字形状のロック部２４ａ、２４ｂが配置されている。
【００２９】
次に、このような液晶モジュール１０へのランプユニットの装着について説明する。図３（Ａ）に示すように、液晶モジュール１０の右側からランプユニットを装着する場合、ランプホルダ２のランプケーブル５が導出されていない側を、図３（Ａ）の矢印Ａの方向に沿って液晶モジュール１０の挿入口２３ａへと移動させる。挿入口２３ａの付近では、図３（Ｂ）の部分拡大平面図に示すように、導光板１６の一辺が、一対の挿入口２３ａ、２３ｂで囲まれる空間に臨むように配置されている。ランプホルダ２はコ字状の断面形状を有しており、フロントシャーシ１３と導光板１６、バックシャーシ１８と導光板１６との間の空間を、図４（Ｃ）に示すような態様で導光板１６の一辺にガイドされながら、図４（Ａ）に斜視図で示すようにランプホルダ２は挿入口２３ａからフレーム部内に押し込まれる。このようにランプホルダ２を導光板１６の一辺にガイドさせた状態で挿入することにより、ランプユニット１のランプ３と導光板１６とが位置合わせされる。ランプホルダ２がさらに押し込まれると、図４（Ｂ）に斜視図で示されるように挿入口２３ａの内側へ、ランプホルダ２が完全に収納され、挿入口２３ａのロック部２４ａがランプホルダ２の端面を押圧する。図１（Ａ）に示されるように、この液晶モジュール１０の左側には挿入口２３ｂが形成されており、挿入口２３ｂの入口付近のバックシャーシ１８には、略Ｌ字形状のロック部２４ｂが配置されている。液晶モジュール１０の右側の挿入口２３ａからランプホルダ２を挿入した際に、液晶モジュール１０の左側の挿入口２３ｂの入口付近に配置されたＬ字状のロック部２４ｂは、ランプホルダ２が液晶モジュール１０の左側へ突き出して脱落しないようにランプホルダ２のもう一方の端面を押圧する。このような一対のロック部２４ａ、２４ｂの働きで、ランプユニット１のランプホルダ２は液晶モジュール１０内に固定され保持される。
【００３０】
装着されたランプユニット１を交換が必要になった場合など、液晶モジュール１０から取り出すときには、ランプホルダ２を差し込んだ側の挿入口、すなわち挿入口２３ａの入口付近の略Ｌ字形状のロック部２４ａを図４（Ｂ）の矢印Ｂの方向へ変形させ、ランプホルダ２を抜き出すようにする。
【００３１】
次に、セット商品側の接続端子が液晶モジュール１０の左側に配置されている場合などのために、液晶モジュール１０の左側からのランプユニット１の装着を説明する。この場合には、挿入口２３ｂからランプホルダ２を挿入する。挿入口２３ｂの付近では、図５（Ｂ）に示すように、導光板１６の一辺が、一対の挿入口２３ａ、２３ｂで囲まれる空間に臨むように配置されている。ランプホルダ２は、フロントシャーシ１３と導光板１６、バックシャーシ１８と導光板１６との間の空間を導光板１６の一辺にガイドされながら、挿入口２３ｂからフレーム部内に押し込まれる。さらに、押し込まれると図５（Ｂ）に斜視図で示されるように挿入口２３ｂの内側へ、ランプホルダ２が完全に収納される。液晶モジュール１０の左側の挿入口２３ｂからランプホルダ２を挿入した際に、液晶モジュール１０の右側の挿入口２３ａの入口付近に配置された略Ｌ字形状のロック部２４ａは、ランプホルダ２が液晶モジュール１０の右側へ突き出して脱落しないようにランプホルダ２のもう一方の端面を押圧する。このような一対のロック部２４ａ、２４ｂの働きで、ランプユニット１のランプホルダ２は液晶モジュール１０内に固定され保持される。
【００３２】
装着されたランプユニット１を交換が必要になった場合など、液晶モジュール１０から取り出すときには、ランプホルダ２を差し込んだ側の挿入口、すなわち挿入口２３ｂの入口付近の略Ｌ字形状のロック部２４ｂを図５（Ａ）の矢印Ｃの方向へ変形させ、ランプホルダ２を抜き出すようにする。
【００３３】
本実施の形態の液晶モジュール１０によれば、セット商品側の接続端子の配置に対応させて、ランプユニット１を左右どちらからでも液晶モジュール１０に装着することができる。したがって、ランプケーブルなどを延長してセット商品側の接続端子に接続することなく、またランプケーブルを延長せずに液晶モジュール自体を１８０度回転させ配置してセット商品側の接続端子に接続することなく、セット商品側の接続端子に接続して、ランプユニット１へ駆動電圧を供給することができる。その結果、セット商品側の接続端子の配置に対応させた新たな構造設計が極力不要となり、セット商品へ対応できる自由度の大きい液晶モジュール１０を実現できる。
【００３４】
さらに、板バネ状の略Ｌ字形状の一対のロック部２４ａ、２４ｂは、挿入口２３ａ、２３ｂの入口付近のバックシャーシ１８に設けているので、バックシャーシ１８の構造の設計変更で簡単に実現できる。
（第二の実施の形態）
次に、本発明の第二の実施形態の液晶モジュールについて、図面を参照しながら詳細に説明する。図６（Ａ）は第二の実施形態の液晶モジュールへのランプユニットの装着を説明するための斜視図であり、図６（Ｂ）はこの液晶モジュールの挿入口２３ａ付近の部分拡大平面図であり、図６（Ｃ）はこの液晶モジュールに装着されるランプユニットの側面図であり、図６（Ｄ）はこのランプユニットの一端の斜視図である。本実施形態の液晶モジュールでは、フロントシールド１１、集光シート１４、拡散シート１５、反射シート１７、信号処理基板１９、バックシールド２０、垂直ドライバ用ＩＣ２１や水平ドライバ用ＩＣ２２などは、第一の実施形態のものと同様なものを用いる。
【００３５】
本実施形態の液晶モジュールは、ランプの一例としての、冷陰極蛍光ランプ３を保持するとともにこのランプ３からの光を反射するランプホルダ２、上記ランプ３へ駆動電圧を供給するための外部接続用のコネクタ４、及び上記ランプホルダ２と上記コネクタ４との間を結ぶランプケーブル５を有するランプユニット１が装着される液晶モジュールであって、液晶パネル、上記液晶パネルを照射する光源ユニット、及び上記液晶パネル及び上記光源ユニットを重ね合わせた状態で挟持し、フロントシャーシ１３及びバックシャーシ１８で構成されるフレーム部を備えている。
【００３６】
さらに、本実施形態の液晶モジュールでは、第一の実施形態の液晶モジュールと同じように、フレーム部の両側面に一対の挿入口２３ａ、２３ｂを備えており、上記ランプユニット１の上記ランプホルダ２が上記挿入口２３ａ、２３ｂから挿入されたときに、上記フレーム部内で上記ランプホルダ２を保持する固定手段が、一対の挿入口２３ａ、２３ｂの近傍にそれぞれ形成されている。
【００３７】
本実施形態でも、上記光源ユニットは、上記ランプユニット１の上記冷陰極蛍光ランプ３からの光を受け、上記液晶パネル１２を照射するバックライトユニットであり、光源ユニットは上記ランプユニット１の上記冷陰極蛍光ランプ３からの光を受け、上記液晶パネル１２を照射する導光板１６を備えている。
【００３８】
本実施形態では、固定手段が第一の実施形態のロック部とは相違している。すなわち、本実施形態の固定手段は、一方が挿入口２３ａの付近のフレーム部に設けられ、他方がランプユニット１のランプホルダ２に設けられ、ランプユニット１のランプホルダ２が挿入口２３ａからフレーム部内に挿入された状態でお互いに嵌合する一対の凹部及び凸部である。ここでは、凸部２ａはランプホルダ２に設けられ、凹部１８ａはフレーム部のバックシャーシ１８に設けられている。この凹部と凸部とは、ランプユニット１のランプホルダ２が挿入口からフレーム部内に挿入された状態でお互いに嵌合するように構成されていればよいので、凹部をランプホルダ２に設け、凸部をフレーム部のバックシャーシ１８に設けることも考えられる。
【００３９】
フロントシャーシ１３とバックシャーシ１８とを固定した状態で形成されるフレーム部に、ランプユニット１のランプホルダ２を抜き差しするための一対の挿入口２３ａ、２３ｂが形成されている。図６（Ａ）に示されるように、フレーム部の右側には挿入口２３ａが設けられており、フレーム部の左側には図示しないもう一つの挿入口２３ｂが設けられている。すなわち、挿入口２３ａ、２３ｂがフレーム部の左右両側にそれぞれ設けられている。固定手段を構成する凹部が挿入口２３ａの付近のフレーム部のバックシャーシ１８に配置され、凸部がランプユニット１のランプホルダ２に配置されている。
【００４０】
次に、このような液晶モジュールへのランプユニットの装着について説明する。図６（Ａ）に示すように、液晶モジュールの右側からランプユニットを装着する場合、ランプホルダ２のランプケーブル５が導出されていない側を、図６（Ａ）の矢印Ｄの方向に沿って液晶モジュールの挿入口２３ａへと移動させる。挿入口２３ａの付近の構造は、図６（Ｂ）の部分拡大平面図に示すように、挿入口２３ａの一部分まで導光板１６の端部が張り出して配置されている。ランプホルダ２はコ字状の断面形状を有しており、フロントシャーシ１３と導光板１６、バックシャーシ１８と導光板１６との間の空間を、導光板１６の一辺にガイドされながら、ランプホルダ２は挿入口２３ａからフレーム部内に押し込まれる。このようにランプホルダ２を導光板１６の一辺にガイドさせた状態で挿入することにより、ランプユニット１のランプ３と導光板１６とが位置合わせされる。ランプホルダ２がさらに押し込まれると、挿入口２３ａの内側へランプホルダ２が完全に収納される。このとき、液晶モジュールの左側の挿入口２３ｂの付近のバックシャーシ１８に配置された凹部と、挿入口２３ａから挿入したランプホルダ２の先端部分に配置された凸部とがお互いに嵌合する。さらに、液晶モジュールの右側の挿入口２３ａの付近のバックシャーシ１８に配置された凹部１８ａと、ランプホルダ２のランプケーブル５が導出されている側に配置された凸部２ａとがお互いに嵌合する。このような凹部及び凸部の働きで、ランプユニット１のランプホルダ２は液晶モジュール内に固定され保持される。
【００４１】
このように装着されたランプユニット１を交換が必要になった場合など、液晶モジュールから取り出すときには、ランプホルダ２を差し込んだ側の挿入口、すなわち挿入口２３ａからランプホルダ２を抜き出すようにする。
【００４２】
次に、セット商品側の接続端子が液晶モジュールの左側に配置されている場合などのために、液晶モジュールの左側からのランプユニットの装着を説明する。この場合には、挿入口２３ｂからランプホルダ２を挿入する。挿入口２３ｂの付近は、挿入口２３ｂの一部分まで導光板１６の端部が張り出して配置されている。ランプホルダ２は、フロントシャーシ１３と導光板１６、バックシャーシ１８と導光板１６との間の空間を導光板１６の一辺にガイドされながら、挿入口２３ｂからフレーム部内に押し込まれる。さらに、押し込まれると挿入口２３ｂの内側へ、ランプホルダ２が完全に収納される。液晶モジュールの左側の挿入口２３ｂからランプホルダ２を挿入した際に、液晶モジュールの右側の挿入口２３ａの付近のバックシャーシ１８に配置された凹部１８ａと、挿入口２３ｂから挿入したランプホルダ２の先端部分に配置された凸部とがお互いに嵌合する。さらに、液晶モジュールの左側の挿入口２３ｂの付近のバックシャーシ１８に配置された凹部と、ランプホルダ２のランプケーブル５が導出されている側に配置された凸部とがお互いに嵌合する。このような凹部及び凸部の働きで、ランプユニット１のランプホルダ２は液晶モジュール内に固定され保持される。
【００４３】
このように装着されたランプユニット１を交換が必要になった場合など、液晶モジュールから取り出すときには、ランプホルダ２を差し込んだ側の挿入口、すなわち挿入口２３ｂからランプホルダ２を抜き出すようにする。
【００４４】
本実施の形態の液晶モジュールによれば、第一の実施形態と同様に、セット商品側の接続端子の配置に対応させて、ランプユニット１を左右どちらからでも液晶モジュールに装着することができる。したがって、ランプケーブルなどを延長してセット商品側の接続端子に接続することなく、またランプケーブルを延長せずに液晶モジュール自体を１８０度回転させ配置してセット商品側の接続端子に接続することなく、セット商品側の接続端子に接続して、ランプユニット１へ駆動電圧を供給することができる。その結果、セット商品側の接続端子の配置に対応させた新たな構造設計が極力不要となり、セット商品へ対応できる自由度の大きい液晶モジュールを実現できる。
【００４５】
さらに、ランプホルダ２を固定するための構成を、液晶モジュールの内部に配置しているので、液晶モジュールの外形を変更することなくランプホルダ２の固定を実現できる。
（発明の拡張）
以上、好ましい実施形態について説明したが、本発明はこれに限定されるものではなく様々な変更や追加が可能であろう。上述した実施形態では、液晶モジュールの左右両側に一対の挿入口を設けた場合として説明したが、上下方向に一対の挿入口を設けることにより、上下いずれの挿入口からでもランプホルダを着脱できるように構成することも可能であろう。さらに、上述した実施の形態では、導光板の長手方向に沿ってランプユニットを配置した場合で説明したが、導光板の短手方向に沿ってランプユニットを配置した場合にも本発明は適用することができる。さらに、上述した実施形態では一つの液晶モジュールに対して一本のランプユニットを装着する場合について説明したが、複数のランプユニット、例えば二本のランプユニットを導光板の上下両側又は左右両側にそれぞれ配置した構造の液晶モジュールにも本発明は適用可能であろう。
【００４６】
さらにまた、上述した好ましい実施形態では、バックライトユニットを備えた液晶モジュールの場合で説明したが、液晶パネルの前面に導光板を配置して液晶パネルの前面を照射するフロントライトユニットを備えた液晶モジュールへ適用することも可能である。さらに、一度使用した液晶モジュールを回収して、別のセット商品へ組み込んで再利用する場面でも、本発明の液晶モジュールは、セット商品側の接続端子の配置に対応させて、ランプユニットを左右どちらからでも液晶モジュールに装着することができるので、ランプユニットの装着について自由度が大きい。このため、廃棄処分とせずに再利用する資源再利用にも、本発明の液晶モジュールは適している。
【産業上の利用可能性】
【００４７】
本発明は、液晶モジュールをシステムに組み込む者にとって、インバータの配置を気にせず組み込むことができ、システム構造設計上の費用及び開発スケジュールの低減を図る用途に適用できる。
【図面の簡単な説明】
【００４８】
【図１】（Ａ）は本発明の第一の実施形態の液晶モジュールの左側面図であり、（Ｂ）はこの液晶モジュールの正面図であり、（Ｃ）はこの液晶モジュールの右側面図である。
【図２】第一の実施形態の液晶モジュールの分解斜視図である。
【図３】（Ａ）は第一の実施形態の液晶モジュールへのランプユニットの装着を説明するための斜視図であり、（Ｂ）はこの液晶モジュールの挿入口２３ａ付近の部分拡大平面図である。
【図４】（Ａ）及び（Ｂ）は第一の実施形態の液晶モジュールへのランプユニットの装着を説明するための斜視図であり、（Ｃ）はランプユニットのランプホルダ２と導光板１６との位置合わせを説明するための、（Ａ）のＸ−Ｘ線に沿った要部断面図である。
【図５】（Ａ）は第一の実施形態の液晶モジュールへのランプユニットの装着の他の態様を説明するための斜視図であり、（Ｂ）はこの液晶モジュールの挿入口２３ｂ付近の部分拡大平面図である。
【図６】（Ａ）は第二の実施形態の液晶モジュールへのランプユニットの装着を説明するための斜視図であり、（Ｂ）はこの液晶モジュールの挿入口２３ａ付近の部分拡大平面図であり、（Ｃ）はこの液晶モジュールに装着されるランプユニットの側面図であり、（Ｄ）はこのランプユニットの一端の斜視図である。
【図７】従来の液晶モジュールの主要な構成要素を示す分解斜視図である。
【図８】従来のランプユニットのランプホルダ付近の斜視図である。
【符号の説明】
【００４９】
１  ランプユニット
２  ランプホルダ
３  冷陰極蛍光ランプ
４  コネクタ
５  ランプケーブル
１０  液晶モジュール
１１  フロントシールド
１２  液晶パネル
１３  フロントシャーシ
１４  集光シート
１５  拡散シート
１６  導光板
１７  反射シート
１８  バックシャーシ
１９  信号処理基板
２０  バックシールド
２１  垂直ドライバ用ＩＣ
２２  水平ドライバ用ＩＣ
２３ａ、２３ｂ  挿入口
２４ａ、２４ｂ  ロック部
【図１】
0004813861.tif 000002
【図２】
0004813861.tif 000003
【図３】
0004813861.tif 000004
【図４】
0004813861.tif 000005
【図５】
0004813861.tif 000006
【図６】
0004813861.tif 000007
【図７】
0004813861.tif 000008
【図８】
0004813861.tif 000009